(57)【要約】【課題】  腕に装着する腕装着型無線機において、製造コストを増加させることなく、容易に取り扱うことができるようにする。【解決手段】  信号の送受信を行う通信機本体３と、前記通信機本体３を腕Ｗに装着するための装着体５と、前記通信機本体３の側面３ｃから突出して設けられたアンテナ部１３とを備え、前記アンテナ部１３が、前記アンテナ部１３の基端側から先端側に行くにしたがい、前記腕Ｗに接触する前記通信機本体３の裏面３ａから離間する方向に延びていることを特徴とする腕装着型無線機１を提供する。【選択図】    図２
2005295072.tif 000002
【特許請求の範囲】
【請求項１】
信号の送受信を行う通信機本体と、
前記通信機本体を腕に装着するための装着体と、
前記通信機本体若しくは前記装着体の側面から突出して設けられたアンテナ部とを備え、
前記アンテナ部が、前記アンテナ部の基端側から先端側に行くにしたがい、前記腕に接触する前記通信機本体若しくは前記装着体の裏面から離間する方向に延びていることを特徴とする腕装着型無線機。
【請求項２】
前記アンテナ部の延出方向が、前記アンテナ部の取付位置に隣接する前記裏面の接線に対して鋭角をなす方向であることを特徴とする請求項１に記載の腕装着型無線機。
【請求項３】
前記裏面に対する前記アンテナ部の延出方向の傾斜角度をθ１として、０°＜θ１≦４５°、であることを特徴とする請求項２に記載の腕装着型無線機。
【請求項４】
前記アンテナ部が、前記傾斜角度θ１の範囲において前記側面に揺動可能に取り付けられていることを特徴とする請求項３に記載の腕装着型無線機。
【請求項５】
前記アンテナ部が、前記アンテナ部の基端側から先端側に行くにしたがい、前記通信機本体若しくは前記装着体の側面から離間する方向に延びていることを特徴とする請求項２から請求項４のいずれか１項に記載の腕装着型無線機。
【請求項６】
前記アンテナ部の延出方向が、前記アンテナ部の取付部分に位置する前記側面の接線に対して鋭角をなす方向であることを特徴とする請求項５に記載の腕装着型無線機。
【請求項７】
前記側面に対する前記アンテナの延出方向の傾斜角度をθ２として、０°＜θ２≦４５°、であることを特徴とする請求項６に記載の腕装着型無線機。
【請求項８】
前記アンテナ部が、傾斜角度θ２の範囲において揺動可能に取り付けられていることを特徴とする請求項７に記載の腕装着型無線機。
【請求項９】
前記アンテナ部が、前記アンテナ部の取付位置に隣接する前記裏面の接線に沿って、前記通信機本体及び前記装着体の配列方向に延びるように配されていることを特徴とする請求項１に記載の腕装着型無線機。
【請求項１０】
前記通信機本体若しくは前記装着体の表面から突出する前記アンテナ部の先端部の突出長さが０ｍｍ以上、かつ、１０ｍｍ以下であることを特徴とする請求項１から請求項９のいずれか１項に記載の腕装着型無線機。
【請求項１１】
信号の送受信を行う通信機本体と、
前記通信機本体を腕に装着するための装着体と、
前記通信機本体若しくは前記装着体の側面から突出して設けられたアンテナ部とを備え、
前記アンテナ部が、前記アンテナ部の基端側から先端側に行くにしたがい、前記通信機本体若しくは前記装着体の側面から離間する方向に延びていることを特徴とする腕装着型無線機。
【請求項１２】
前記アンテナ部の延出方向が、前記アンテナ部の取付部分に位置する前記側面の接線に対して鋭角をなす方向であることを特徴とする請求項１１に記載の腕装着型無線機。
【請求項１３】
前記側面に対する前記アンテナの延出方向の傾斜角度をθ２として、０°＜θ２≦４５°、であることを特徴とする請求項１２に記載の腕装着型無線機。
【請求項１４】
前記アンテナ部が、傾斜角度θ２の範囲において揺動可能に取り付けられていることを特徴とする請求項１３に記載の腕装着型無線機。
【請求項１５】
前記アンテナ部の取付部分に位置する前記側面が、外方に膨出するように湾曲し、
前記アンテナ部の延出方向が、前記取付部分における前記側面の接線方向に一致していることを特徴とする請求項１１に記載の腕装着型無線機。
【請求項１６】
前記アンテナ部が、その延出方向に伸縮可能であることを特徴とする請求項１から請求項１５のいずれか１項に記載の腕装着型無線機。
【請求項１７】
前記装着体が、前記通信機本体の前記側面及び裏面の一端側に、前記通信機本体に回転可能に取り付けられた第１の筐体と、前記通信機本体の前記側面及び裏面の他端側に、前記通信機本体に回転可能に取り付けられた第２の筐体とからなり、
前記第１の筐体に通話用のスピーカが設けられ、前記通信機本体若しくは前記第２の筐体の少なくともいずれか一方に通話用のマイクロフォンが設けられていることを特徴とする請求項１から請求項１６のいずれか１項に記載の腕装着型無線機。
【請求項１８】
前記装着体が、前記通信機本体の前記側面及び裏面の一端側に、前記通信機本体に回転可能に取り付けられた第１の筐体と、前記通信機本体の前記側面及び裏面の他端側に、前記通信機本体に回転可能に取り付けられた第２の筐体とからなり、
前記腕に取り付ける際に、前記第１の筐体及び第２の筐体により前記腕を挟むことを特徴とする請求項１から請求項１６のいずれか１項に記載の腕装着型無線機。
【発明の詳細な説明】
【技術分野】
【０００１】
この発明は、腕に装着する腕装着型無線機に関するものである。
【背景技術】
【０００２】
近年、腕時計と同様に、腕に装着できる携帯電話機等の無線通信機（腕装着型無線機）がある（例えば、特許文献１参照）。この無線通信機には、電波を送受信するホイップアンテナやヘリカルアンテナが設けられているが、人体や腕時計本体の内部に配された各種電子部品に近接してヘリカルアンテナ等が配される状態においては、アンテナの感度が劣化する。このため、従来では、ヘリカルアンテナ等を通信機本体の上面から垂直に突出させて設けていた。
また、この種の無線通信機としては、装着体により通信機本体を腕に装着した状態においても、アンテナ特性の劣化が少ないパッチアンテナを装着体の内部に設けたものもある（例えば、特許文献２参照。）。
【特許文献１】特開平１１−１７７３２８号公報
【特許文献２】特開２００２−２０４１１９号公報
【発明の開示】
【発明が解決しようとする課題】
【０００３】
しかしながら、特許文献１に記載の無線通信機においては、通信機本体の上面から突出するヘリカルアンテナの突出量が大きいため、この無線通信機を腕に装着した状態において、ヘリカルアンテナが引っ掛かる虞があり、無線通信機の取り扱いが面倒となる問題がある。
また、特許文献２に記載の無線通信機においては、パッチアンテナを装着体の内部に設けているが、パッチアンテナはヘリカルアンテナ等よりも高価であるため、無線通信機の製造コストが増加するという問題がある。
この発明は上述した事情に鑑みてなされたものであって、製造コストを増加させることなく、容易に取り扱うことができる腕装着型無線機を提供することを目的とする。
【課題を解決するための手段】
【０００４】
上記目的を達成するために、この発明は以下の手段を提供する。
本発明の腕装着型無線機は、信号の送受信を行う通信機本体と、前記通信機本体を腕に装着するための装着体と、前記通信機本体若しくは前記装着体の側面から突出して設けられたアンテナ部とを備え、前記アンテナ部が、前記アンテナ部の基端側から先端側に行くにしたがい、前記腕に接触する前記通信機本体若しくは前記装着体の裏面から離間する方向に延びていることを特徴とする。
この発明に係る腕装着型無線機によれば、アンテナ部が通信機本体や装着体の側面から突出し、裏面から離間する方向に延びるため、腕装着型無線機を腕に装着した状態において、アンテナ部の先端部が腕から離間した位置に配されることになり、アンテナ部の感度劣化を抑制することができる。
【０００５】
また、アンテナ部は、通信機本体や装着体から外方に突出する所謂ホイップアンテナやヘリカルアンテナであるため、通信機本体や装着体の内部に設けるパッチアンテナよりも安価となり、腕装着型無線機の製造コストの増加を防止することができる。
また、前記アンテナ部の延出方向が、前記アンテナ部の取付位置に隣接する前記裏面の接線に対して鋭角をなす方向であることを特徴とする。
【０００６】
この発明に係る腕装着型無線機によれば、アンテナ部が通信機本体や装着体の裏面の接線に対して傾斜する方向に延びているため、アンテナ部の先端部を確実に前記裏面や腕から離間した位置に配することができると共に、前記裏面の反対側に位置する通信機本体や装着体の表面から突出するアンテナ部の突出長さを小さくすることができる。
また、前記裏面に対する前記アンテナ部の延出方向の傾斜角度をθ１として、０°＜θ１≦４５°、であることを特徴とする。
【０００７】
この発明に係る腕装着型無線機において、傾斜角度θ１を０°＜θ１≦４５°としたのは、傾斜角度θ１が０°である場合には、腕装着型無線機を腕に装着した状態において、アンテナ部の先端部と腕との距離が近くなることがあり、アンテナ部の感度が劣化するためである。また、傾斜角度θ１が４５°よりも大きい場合には、腕装着型無線機を腕に装着した状態において、通信機本体や装着体の表面から突出するアンテナ部の突出長さが大きくなり、腕装着型無線機の取り扱いが面倒になるためである。
また、前記アンテナ部が、前記傾斜角度θ１の範囲において前記側面に揺動可能に取り付けられていることを特徴とする。
【０００８】
この発明に係る腕装着型無線機によれば、通信機本体や装着体の裏面との傾斜角度θ１が変化するようにアンテナ部を揺動させることにより、腕装着型無線機の使用状況に応じてアンテナ部の突出長さや感度を調整することができる。
すなわち、腕装着型無線機を腕に装着した状態において、使用者が通信機本体や装着体の表面から突出するアンテナ部の突出長さを小さくする場合には、傾斜角度θ１が小さくなる方向にアンテナ部を揺動させればよい。また、アンテナ部の感度を向上させる場合には、傾斜角度θ１が大きくなる方向にアンテナ部を揺動させればよい。
【０００９】
また、前記アンテナ部が、前記アンテナ部の基端側から先端側に行くにしたがい、前記通信機本体若しくは前記装着体の側面から離間する方向に延びていることを特徴とする。
この発明に係る腕装着型無線機によれば、アンテナ部が通信機本体や装着体の側面から離間する方向に延びているため、アンテナ部の先端部が通信機本体や装着体から離間する位置に配されることになる。このため、通信機本体や装着体の内部に腕装着型無線機を動作させる各種電子部品が設けられていても、これら電子部品から発生する電磁波がアンテナ部の先端部に作用することを抑制できる。すなわち、アンテナ部の感度劣化を抑制することができる。
【００１０】
また、アンテナ部は、通信機本体や装着体から外方に突出する所謂ホイップアンテナやヘリカルアンテナであるため、通信機本体や装着体の内部に設けるパッチアンテナよりも安価となり、腕装着型無線機の製造コストの増加を防止することができる。
また、前記アンテナ部の延出方向が、前記アンテナ部の取付部分に位置する前記側面の接線に対して鋭角をなす方向であることを特徴とする。
この発明に係る腕装着型無線機によれば、アンテナ部は、アンテナ部が通信機本体や装着体の側面の接線に対して傾斜する方向に延びているため、通信機本体や装着体の側面から突出するアンテナ部の突出長さを小さくすることができる。
また、前記側面に対する前記アンテナの延出方向の傾斜角度をθ２として、０°＜θ２≦４５°、であることを特徴とする。
【００１１】
この発明に係る腕装着型無線機において、傾斜角度θ２を０°＜θ２≦４５°としたのは、傾斜角度θ２が０°である場合には、アンテナ部の先端部が通信機本体や装着体の近接して位置するため、各種電子部品の影響によってアンテナ部の感度が劣化するためである。また、傾斜角度θ２が４５°よりも大きい場合には、側面からのアンテナ部の突出長さが大きくなり、腕装着型無線機の小型化が困難となるためである。
また、前記アンテナ部が、傾斜角度θ２の範囲において揺動可能に取り付けられていることを特徴とする。
【００１２】
この発明に係る腕装着型無線機によれば、側面との傾斜角度θ２が変化するようにアンテナ部を揺動させることにより、腕装着型無線機の使用状況に応じてアンテナ部の突出長さや感度を調整することができる。
すなわち、腕に装着した状態において、使用者が通信機本体や装着体の側面から突出するアンテナ部の突出長さを小さくする場合には、傾斜角度θ２が小さくなる方向にアンテナ部を揺動させればよい。また、アンテナ部の感度を向上させる場合には、傾斜角度θ２が大きくなる方向にアンテナ部を揺動させればよい。
また、前記アンテナ部が、前記アンテナ部の取付位置に隣接する前記裏面の接線に沿って、前記通信機本体及び前記装着体の配列方向に延びるように配されていることを特徴とする。
【００１３】
この発明に係る腕装着型無線機によれば、通信機本体及び装着体を腕の周方向に並べるように腕装着型無線機を腕に装着した状態においては、アンテナ部が腕の表面から離間する方向に延びるように配されることになるため、アンテナ部の先端部が確実に前記裏面や腕から離間した位置に配されることになる。したがって、アンテナ部の感度劣化を確実に抑制することができる。また、アンテナ部は、前記裏面の接線に沿って延びるように配されているため、通信機本体や装着体の表面から突出するアンテナ部の突出長さを小さくする、若しくは、通信機本体や装着体の表面からアンテナ部を突出させないように配することができる。
【００１４】
また、前記通信機本体若しくは前記装着体の表面から突出する前記アンテナ部の先端部の突出長さが０ｍｍ以上、かつ、１０ｍｍ以下であることを特徴とする。
なお、突出長さが０ｍｍとは、アンテナ部の先端部が通信機本体若しくは装着体の表面から突出しないことを示しており、アンテナ部の先端部が前記表面よりも下側に位置している状態も含んでいる。
【００１５】
この発明に係る腕装着型無線機において、アンテナ部の先端部の突出長さを１０ｍｍ以下としたのは、突出長さが１０ｍｍよりも大きい場合には、腕装着型無線機を腕に装着した状態において、腕装着型無線機の取り扱いが面倒になるためである。
また、前記アンテナ部の取付部分に位置する前記側面が、外方に膨出するように湾曲し、前記アンテナ部の延出方向が、前記取付部分における前記側面の接線方向に一致していることを特徴とする。
【００１６】
この発明に係る腕装着型無線機によれば、アンテナ部を取り付ける側面が湾曲すると共に、アンテナ部の延出方向が前記側面の接線方向に一致しているため、アンテナ部を取り付けた通信機本体や装着体から離間した位置にアンテナ部の先端部を確実に配することができる。したがって、通信機本体に設けられた各種電子部品から発生する電磁波によるアンテナ部の感度劣化を確実に抑制することができる。また、アンテナ部の延出方向が前記側面の接線方向に一致しているため、通信機本体や装着体の側面から突出するアンテナ部の突出長さを小さくすることができる。
また、前記アンテナ部が、その延出方向に伸縮可能であることを特徴とする。
【００１７】
この発明に係る腕装着型無線機によれば、アンテナ部を伸縮させることにより、腕装着型無線機の使用状況に応じてアンテナ部の突出長さや感度を調整することができる。
すなわち、アンテナ部の感度を向上させる場合には、アンテナ部を伸ばして、アンテナ部の先端部を腕や通信機本体、装着体の裏面や側面からさらに離間させればよい。また、通信機本体や装着体の表面から突出するアンテナ部の突出長さを小さくする場合には、アンテナ部を縮めればよい。
【００１８】
また、前記装着体が、前記通信機本体の前記側面及び裏面の一端側に、前記通信機本体に回転可能に取り付けられた第１の筐体と、前記通信機本体の前記側面及び裏面の他端側に、前記通信機本体に回転可能に取り付けられた第２の筐体とからなり、前記第１の筐体に通話用のスピーカが設けられ、前記通信機本体若しくは前記第２の筐体の少なくともいずれか一方に通話用のマイクロフォンが設けられていることを特徴とする。
この発明に係る腕装着型無線機によれば、マイクロフォンが、スピーカを設けた第１の筐体とは別の通信機本体や第２の筐体に設けられているため、マイクロフォンとスピーカとを互いに離間させて配することができる。したがって、通話する際に、マイクロフォン及びスピーカをそれぞれ使用者の口及び耳に近接させて配することができる。したがって、良好な通話状態を確保することができる。
【００１９】
また、前記装着体が、前記通信機本体の前記側面及び裏面の一端側に、前記通信機本体に回転可能に取り付けられた第１の筐体と、前記通信機本体の前記側面及び裏面の他端側に、前記通信機本体に回転可能に取り付けられた第２の筐体とからなり、前記腕に取り付ける際に、前記第１の筐体及び第２の筐体により前記腕を挟むことを特徴とする。
この発明に係る腕装着型無線機によれば、装着体を構成する第１、第２の筐体により腕を挟むことにより、通信機本体を腕に固定することができる。すなわち、第１、第２の筐体を相互に係合させることなく、通信機本体を腕に固定できるため、腕装着型無線機を腕に対して容易に着脱することができる。
【発明の効果】
【００２０】
本発明によれば、通信機本体や装着体の表面から突出するアンテナ部の突出長さが小さくなるため、腕装着型無線機を腕に装着した状態において、アンテナ部を引っ掛ける不具合を防止できる。また、アンテナ部の先端部を腕から離間した位置に配することができるため、アンテナ部の感度劣化を抑制することができる。したがって、腕装着型無線機の製造コストを増加させることなく、腕装着型無線機を容易に取り扱うことができる。
特に、通信機本体や装着体の表面から突出するアンテナ部の突出長さを１０ｍｍ以下とすることにより、確実に腕装着型無線機を容易に取り扱うことができる。
【００２１】
また、アンテナ部を通信機本体や装着体の側面から離間する方向に突出させた場合には、通信機本体や装着体の内部に設けられた各種電子部品から発生する電磁波がアンテナ部の先端部に影響することを抑制できるため、アンテナ部の感度劣化を抑制することができる。そして、通信機本体や装着体の側面から突出するアンテナ部の突出長さが小さくなるため、腕装着型無線機の小型化を図ることができる。
【００２２】
また、傾斜角度θ１を０°＜θ１≦４５°とした場合には、確実にアンテナ部の感度を抑制できると共に、腕装着型無線機を容易に取り扱うことができる。さらに、傾斜角度θ２を０°＜θ２≦４５°とした場合には、腕装着型無線機の小型化を図ることができると共に、アンテナ部の感度劣化を確実に抑制することができる。
【００２３】
さらに、アンテナ部を通信機本体や装着体の側面に対して傾斜角度θ１，θ２の範囲において揺動可能に取り付けた場合や、アンテナ部を伸縮可能に構成した場合には、腕装着型無線機の使用状況に応じてアンテナの突出長さや感度を変化させることができるため、腕装着型無線機をさらに容易に取り扱うことができる。
【００２４】
また、装着体が、通信機本体の両側に回転可能に設けられた第１、第２の筐体から構成されている場合には、第１の筐体にスピーカを設け、第１の筐体とは別の通信機本体や第２の筐体にマイクロフォンを設けることにより、良好な通話状態を確保することができる。
さらに、この場合には、第１、第２の筐体により腕を挟んで通信機本体を腕に固定できるため、腕に対する腕装着型無線機の着脱を容易に行うことが可能となる。
【発明を実施するための最良の形態】
【００２５】
図１から図３はこの発明に係る一実施形態を示す図である。図１，２に示すように、この腕装着型電話機（腕装着型無線機）１は、無線回路を内蔵する通信機本体３と、通信機本体３を腕Ｗに装着するための装着体５とを備えている。
通信機本体３は、略矩形の板状に形成されており、装着の際に通信機本体３の裏面３ａが腕Ｗに接触するように、側方からみて凹状に湾曲して形成されている。そして、裏面３ａの反対側に位置する通信機本体３の表面３ｂには、時刻や電話番号等の各種情報を表示する表示部１１が設けられている。また、裏面３ａ及び表面３ｂに隣接する通信機本体３の側面３ｃには略棒状のアンテナ部１３が固定して設けられている。アンテナ部１３は、通信機本体３の側面３ｃの中途部から突出するヘリカルアンテナやホイップアンテナからなる。
【００２６】
このアンテナ部１３は、側方から見てアンテナ部１３の取付位置に隣接する裏面３ａの接線Ｌ１に対して鋭角に傾斜する方向に延びており、通信機本体３の裏面３ａに対して一定の傾斜角度θ１で傾斜している。また、アンテナ部１３は、後述する第１アームホルダー７の先端部７ａ側に向かうように、側面３ｃに対して鋭角に傾斜する方向にも延びており、通信機本体３の側面３ｃに対して一定の傾斜角度θ２で傾斜している。
装着体５は、第１アームホルダー（第１の筐体）７と第２アームホルダー（第２の筐体）９とから構成されている。これら第１アームホルダー７及び第２アームホルダー９は、腕Ｗの表面との接触面積が大きくなるように、側方から見てその裏面７ｂ，９ｂが湾曲して形成されている。
【００２７】
第１アームホルダー７は、通信機本体３の裏面３ａ及び側面３ｃの一端側にヒンジ１５によって回転可能に取り付けられている。また、第１アームホルダー７の先端部７ａには、腕Ｗに接触する裏面７ｂ側に露出する通話用のスピーカ１７が設けられている。第２アームホルダー９は、通信機本体３の裏面３ａ及び側面３ｃの他端側にヒンジ１９によって回転可能に取り付けられている。第２アームホルダー９の先端部９ａには、腕Ｗに接触する裏面９ｂ側に露出する通話用のマイクロフォン２１が設けられている。また、第２アームホルダー９の表面９ｃには、通話キー、終話キー、方向キー等の複数の機能キーからなる操作部２３が設けられている。
【００２８】
これら第１、第２アームホルダー７，９は、通信機本体３に対して回転可能に取り付けられているため、腕装着型無線機１を腕Ｗに取り付ける際に、腕Ｗを挟むことができるように構成されている。
そして、これら通信機本体３や第１、第２アームホルダー７，９の内部には、腕装着型電話機１を動作させるための各種電子部品（不図示）が設けられており、これら各種電子部品は、適宜表示部１１、操作部２３、スピーカ１７、マイクロフォン２１及びアンテナ部１３と電気的に接続されている。
【００２９】
以上のように構成された腕装着型無線機１を腕Ｗに装着する際には、図３に示すように、第１、第２アームホルダー７，９の先端部７ａ，９ａを互いに近づける方向に、第１、第２アームホルダー７，９をそれぞれ通信機本体３に対して回転させる。この状態においては、第１、第２アームホルダー７，９が腕Ｗを挟んでいるため、通信機本体３が腕Ｗに固定され、また、通信機本体３及び第１、第２アームホルダー７，９の裏面３ａ，７ｂ，９ｂが腕Ｗの表面に接触している。
【００３０】
また、この状態から腕装着型電話機１により通話を行う際には、図２に示すように、第１、第２アームホルダー７，９の先端部７ａ，９ａを互いに離間させる方向に、第１、第２アームホルダー９を通信機本体３に対して回転させて、腕装着型電話機１を腕Ｗから取り外す。そして、マイクロフォン２１を使用者の口の近傍に配すると共にスピーカ１７を使用者の耳の近傍に配するように、第２アームホルダー９や通信機本体３を手で把持する。ここで、アンテナ部１３は、把持する手から離間する方向に突出するため、その先端部１３ａが前記手から離間する位置に配されることになる。
【００３１】
なお、通信機本体３の裏面３ａに対するアンテナ部１３の突出方向の傾斜角度θ１は、０°＜θ１≦４５°、とすることが好ましい。すなわち、傾斜角度θ１が０°である場合には、腕装着型電話機１を腕Ｗに装着した状態において、アンテナ部１３の先端部１３ａと腕Ｗとの距離が近くなり、アンテナ部１３の感度が劣化するためである。また、傾斜角度θ１が４５°よりも大きい場合には、腕装着型電話機１を腕Ｗに装着した状態において、通信機本体３の表面３ｂから突出するアンテナ部１３の突出長さが大きくなり、アンテナ部１３を引っ掛ける不具合が発生して腕装着型電話機１の取り扱いが面倒になるためである。
【００３２】
また、通信機本体３の表面３ｂから突出するアンテナ部１３の先端部１３ａの突出長さは、０ｍｍ以上、かつ、１０ｍｍ以下とすることが好ましい。すなわち、突出長さが１０ｍｍよりも大きい場合には、腕装着型無線機１を腕Ｗに装着した状態において、腕装着型無線機１の取り扱いが面倒になるためである。なお、突出長さが０ｍｍとは、アンテナ部１３の先端部１３ａが通信機本体３や第１、第２アームホルダー７，９の表面３ｂから突出しないことを示しており、アンテナ部１３の先端部１３ａが表面３ｂよりも下側に位置している状態も含んでいる。
【００３３】
また、通信機本体３の側面３ｃに対するアンテナ部１３の突出方向の傾斜角度θ２は、０°＜θ２≦４５°、とすることが好ましい。すなわち、傾斜角度θ２が０°である場合には、アンテナ部１３が通信機本体３に近づくことにより、各種電子部品から発生する電磁波がアンテナ部１３の先端部１３ａに作用してアンテナ部１３の感度が劣化するためである。また、傾斜角度θ２が４５°よりも大きい場合には、通信機本体３の側面３ｃからのアンテナ部１３の突出長さが大きくなり、腕装着型電話機１の小型化が困難となるためである。
【００３４】
上記のように、この腕装着型電話機１によれば、腕装着型電話機１を腕Ｗに装着した状態において、アンテナ部１３の先端部１３ａが腕Ｗから離間した位置に配されるため、アンテナ部１３の感度劣化を抑制することができる。そして、このアンテナ部１３は通信機本体３の裏面３ａに対して傾斜する方向に傾斜角度θ１で突出するため、通信機本体３の表面３ｂから突出するアンテナ部１３の突出長さを小さくすることができる。したがって、腕装着型電話機１を腕に装着した状態において、アンテナ部１３を引っ掛ける不具合を防止でき、腕装着型電話機１を容易に取り扱うことができる。
また、アンテナ部１３は、ホイップアンテナやヘリカルアンテナからなるため、通信機本体３や装着体５の内部に設けるパッチアンテナよりも安価となり、腕装着型電話機１の製造コストの増加を防止することができる。
【００３５】
さらに、アンテナ部１３が通信機本体３の側面３ｃから離間する方向に傾斜角度θ２で突出しているため、アンテナ部１３の先端部１３ａが通信機本体３から離間する位置に配されることになる。このため、通信機本体３の内部に設けられた各種電子部品からの電磁波によるアンテナ部１３の感度劣化を抑制することができる。また、アンテナ部１３は、通信機本体３の側面３ｃに対して傾斜する方向に突出するため、通信機本体３の側面３ｃから突出するアンテナ部１３の突出長さを小さくすることができ、腕装着型電話機１の小型化を図ることができる。
【００３６】
また、スピーカ１７及びマイクロフォン２１が、それぞれ第１、第２アームホルダー７，９の先端部７ａ，９ａにそれぞれ設けられているため、互いに十分に離間して配されることになる。したがって、通話する際に、マイクロフォン１７及びスピーカ２１をそれぞれ使用者の口及び耳に近接させて配することができる。したがって、良好な通話状態を確保することができる。
【００３７】
さらに、第１、第２アームホルダー７，９により腕Ｗを挟むことにより、通信機本体３を腕Ｗに固定することができる。すなわち、第１、第２アームホルダー７，９を相互に係合させることなく、腕装着型無線機１を腕Ｗに取り付けることができるため、腕装着型無線機１を腕Ｗに対して容易に着脱することができる。
また、腕装着型電話機１により通話する際には、アンテナ部１３の先端部１３ａが、通信機本体３や第２アームホルダー９を把持する手から離間して位置するため、通話の際にもアンテナ部１３の感度が劣化することを抑制でき、良好な通話状態を確保することができる。
【００３８】
なお、上記の実施形態においては、スピーカ１７及びマイクロフォン２１がそれぞれ第１、第２アームホルダー７，９の先端部７ａ，９ａに設けられているとしたが、これに限ることはなく、少なくともマイクロフォン２１が、スピーカ１７を設けた第１アームホルダー７とは別の通信機本体３や第２アームホルダー９に設けられていればよい。この場合でも、スピーカ１７とマイクロフォン２１とを互いに離間させて配することができる。
また、アンテナ部１３が、通信機本体３の側面３ｃから一定方向に突出して設けられるとしたが、これに限ることはなく、例えば、通信機本体３の側面３ｃに対して揺動可能に取り付けられるとしても構わない。ただし、この構成においては、アンテナ部１３の揺動可能な範囲を傾斜角度θ１，θ２の範囲内において行うことが好ましい。この構成の場合には、腕装着型電話機１の使用状況に応じてアンテナ部１３の突出長さや感度を調整することができるため、腕装着型電話機１をさらに容易に取り扱うことができる。
【００３９】
すなわち、腕装着型電話機１を腕Ｗに装着した状態において、使用者が通信機本体３の表面から突出するアンテナ部１３の突出長さを小さくする場合には、傾斜角度θ１が小さくなる方向にアンテナ部１３を揺動させればよい。また、使用者が通信機本体３の側面３ｃから突出するアンテナ部１３の突出長さを小さくする場合には、傾斜角度θ２が小さくなる方向にアンテナ部１３を揺動させればよい。さらに、アンテナ部１３の感度を向上させる場合には、傾斜角度θ１，θ２が大きくなる方向にアンテナ部１３を揺動させればよい。
また、例えば、上記の実施形態の構成に加えて、アンテナ部１３が、その延出方向に伸縮可能に構成されるとしても構わない。この構成の場合には、アンテナ部１３を伸縮させることにより、腕装着型無線機１の使用状況に応じてアンテナ部１３の突出長さや感度を調整することができるため、腕装着型無線機１をさらに容易に取り扱うことができる。
【００４０】
すなわち、アンテナ部１３の感度を向上させる場合には、アンテナ部１３を伸ばして、アンテナ部１３の先端部１３ａを腕Ｗや通信機本体３、第１、第２アームホルダー７，９の裏面３ａ，７ｂ，９ｂや側面３ｃからさらに離間させればよい。また、通信機本体３や第１、第２アームホルダー７，９の表面３ｂから突出するアンテナ部１３の突出長さを小さくする場合には、アンテナ部１３を縮めればよい。
【００４１】
さらに、アンテナ部１３は、取付位置に隣接する裏面３ａの接線Ｌ１に対して鋭角に傾斜する方向に延びているとしたが、これに限ることはなく、少なくともアンテナ部１３の基端側から先端側に行くにしたがい、裏面３ａから離間する方向に延びていればよい。すなわち、例えば、図４に示すように、アンテナ部３１の取付位置に隣接する裏面３ａの接線Ｌ１に沿って通信機本体３、第１、第２アームホルダー７，９の配列方向に延びるようにアンテナ部３１を配するとしても構わない。
【００４２】
この構成においても、腕装着型電話機１を腕Ｗに装着した状態において、アンテナ部３１の先端部３１ａが腕Ｗから離間した位置に配されるため、アンテナ部１３の感度劣化を抑制することができる。また、通信機本体３や第１、第２アームホルダー７，９の表面３ｂから突出するアンテナ部１３の突出長さを小さくすることもできる。
【００４３】
また、アンテナ部１３は、通信機本体３の側面３ｃに対しても鋭角に傾斜する方向に延びているとしたが、少なくともアンテナ部１３の取付部分に位置する側面３ｃの接線に対して鋭角に傾斜する方向に延びていればよい。すなわち、例えば、図５に示すように、通信機本体３の側面３ｃが外方に膨出して湾曲している場合には、アンテナ部３２が、通信機本体３の表面３ｂ側から見て湾曲した側面３ｃの接線Ｌ２に対して鋭角に傾斜する方向に延びるとしても構わない。
【００４４】
また、アンテナ部１３，３２は側面３ｃに対して鋭角に傾斜するとしたが、少なくともアンテナ部１３の基端側から先端側に行くにしたがい、側面３ｃから離間する方向に延びていればよい。すなわち、例えば、図６に示すように、通信機本体３の側面３ｃが外方に膨出して湾曲している場合には、アンテナ部３３を湾曲した側面３ｃの接線Ｌ２方向に延ばして配するとしてもよい。この構成においても、アンテナ部３３の先端部３３ａを通信機本体３から離間した位置に配することができるため、アンテナ部３３の感度劣化を確実に抑制できる。また、側面３ｃから突出するアンテナ部３３の突出長さを小さくすることができるため、腕装着型無線機の小型化も図ることができる。
【００４５】
また、アンテナ部１３は、２つの傾斜角度θ１，θ２で通信機本体３から延びているとしたが、アンテナ部１３の先端部１３ａを腕Ｗの表面から離間させることのみを考慮する場合には、側面３ｃに対する傾斜角度θ２の範囲を限定しなくてもよい。また、アンテナ部１３の先端部１３ａを通信機本体３や第１、第２アームホルダー７，９から離間させることのみを考慮する場合には、裏面３ａに対する傾斜角度θ１の範囲を限定しなくてもよい。
【００４６】
また、アンテナ部１３，３１〜３３は、通信機本体３の側面３ｃに設けられるとしたが、これに限ることはなく、例えば、第１アームホルダー７や第２アームホルダー９の側面に設けられるとしても構わない。ここで、アンテナ部１３，３１〜３３を第１アームホルダー７の側面に設けた場合には、アンテナ部１３，３１〜３３は、上述の実施形態と同様に、第１アームホルダー７の先端部７ａ側に向けて傾斜することが好ましい。
【００４７】
また、アンテナ部１３，３１〜３３を第２アームホルダー９の側面に設けた場合には、アンテナ部１３，３１〜３３は第２アームホルダー９の先端部９ａ側に向けて傾斜することが好ましい。すなわち、通話の際には、腕装着型電話機１を腕Ｗから取り外して第２アームホルダー９や通信機本体３を手で把持するが、ここで、アンテナ部１３は、把持する手から離間する方向に突出するため、その先端部１３ａが前記手から離間する位置に配されることになる。したがって、アンテナ部１３の感度劣化を抑制して良好な通話状態を確保することができる。
【００４８】
さらに、無線回路は通信機本体３に内蔵されるとしたが、これに限ることはなく、第１、第２アームホルダー７，９に内蔵されるとしても構わない。
また、第１、第２アームホルダー７，９により装着体５が構成されるとしたが、これに限ることはなく、装着体は、少なくとも通信機本体３を腕Ｗに固定できるように、通信機本体３に対して回転可能に取り付けられていればよい。したがって、装着体は、例えば、１つのアームホルダーから構成されるとしてもよいし、３つ以上のアームホルダーを連結して構成されるとしても構わない。
【００４９】
さらに、腕装着型電話機１について述べたが、これに限ることはなく、少なくとも各種情報を送受信するためのアンテナ部１３を備えた腕装着型無線機であればよい。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００５０】
【図１】この発明の一実施形態に係る腕装着型電話機を示す概略平面図である。
【図２】図１の腕装着型電話機を示す概略側面図である。
【図３】図１の腕装着型電話機を腕に装着した状態を示す概略側面図である。
【図４】この発明の他の実施形態に係る腕装着型電話機を示す概略側面図である。
【図５】この発明の他の実施形態に係る腕装着型電話機を示す概略平面図である。
【図６】この発明の他の実施形態に係る腕装着型電話機を示す概略平面図である。
【符号の説明】
【００５１】
１  腕装着型電話機（腕装着型無線機）
３  通信機本体
３ａ  裏面
３ｃ  側面
５  装着体
７  第１アームホルダー（第１の筐体）
９  第２アームホルダー（第２の筐体）
１３，３１〜３３  アンテナ部
１３ａ，３１ａ〜３３ａ  先端部
１７  スピーカ
１９  マイクロフォン
Ｌ１，Ｌ２  接線
θ１  傾斜角度
θ２  傾斜角度
【図１】
2005295072.tif 000003
【図２】
2005295072.tif 000004
【図３】
2005295072.tif 000005
【図４】
2005295072.tif 000006
【図５】
2005295072.tif 000007
【図６】
2005295072.tif 000008